(57)【要約】【課題】分割光学系の光路への挿入時と離脱時の光路長差に起因するピントずれを最適な方法で補正する。【解決手段】上記ピントずれを補正する手段として、撮影光路長の変化を解消する手段（１−１）と、分割光学系が撮影光路から退避した状態で再度焦点調節を行う手段（２）と、画像処理によって焦点調節ずれを擬似的に補正する手段（３）とを有している。それぞれの補正手段は一長一短があるため、ユーザが撮影に際して何を優先するかに関する情報に応じて最適な手段を選択する。【選択図】図５
2013171060.tif 000002
【特許請求の範囲】
【請求項１】
撮影光束を受光して光電変換する撮像素子と、
撮像素子の入射光路中に挿脱され、挿入時に前記撮影光束の一部を撮像素子以外の方向に導く分割光学系と、
前記分割光学系の前記光路への挿入時に、前記撮像素子の光電変換出力に基づいて撮影光学系の焦点調節を行う焦点調節手段と、
前記焦点検出後、前記分割光学系が前記光路から退避した状態で、前記撮像素子の光電変換出力に基づいて画像データを生成する画像生成手段と、
前記分割光学系の前記光路からの退避によって生ずる光路長の変化に起因する焦点ずれを、それぞれ異なる方法で補正する複数の補正手段と、
撮影に関連する条件に応じて前記複数の補正手段からいずれかを選択する選択手段と、
前記選択された補正手段を用いて前記焦点ずれの補正を行う制御手段とを具備することを特徴とする撮像装置。
【請求項２】
前記補正手段の選択に用いられる前記条件は、撮影に先立つユーザ操作によって設定された条件を含むことを特徴とする請求項１に記載の撮像装置。
【請求項３】
撮影において優先すべき項目に関する情報を予めユーザ操作に応じて設定する設定手段を更に備え、前記補正手段の選択に用いられる前記条件は、前記設定手段の設定状況を含むことを特徴とする請求項２に記載の撮像装置。
【請求項４】
前記設定手段は、前記ユーザ操作に応じて「撮影光量」，「レリーズタイムラグ」，「画質」の優先度を設定することを特徴とする請求項３に記載の撮像装置。
【請求項５】
被写体の状況に基づいて撮影に関する条件を自動設定する自動設定手段を更に備え、前記補正手段の選択に用いられる前記条件は、前記自動設定手段にて設定された条件を含むことを特徴とする請求項１〜４のいずれか１項に記載の撮像装置。
【請求項６】
前記複数の補正手段は、前記光路長の変化を解消する手段と、前記分割光学系が前記光路から退避した状態で再度焦点調節を行うべく前記焦点調節手段を制御する手段と、画像処理によって前記焦点調節ずれを擬似的に補正する手段とを含むことを特徴とする請求項１〜５のいずれか１項に記載の撮像装置。
【請求項７】
前記分割光学系は、前記光路への挿入時に、一部の撮影光束を透過して前記撮像素子に導き、他の一部の光束を反射してファインダ光学系に導くミラー手段であることを特徴とする請求項１〜６のいずれか１項に記載の撮像装置。
【請求項８】
撮影光束を受光して光電変換する撮像素子と、撮像素子の入射光路中に挿脱され、挿入時に前記撮影光束の一部を撮像素子以外の方向に導く分割光学系と、前記分割光学系の前記光路への挿入時に、前記撮像素子の光電変換出力に基づいて撮影光学系の焦点調節を行う焦点調節手段と、前記焦点検出後、前記分割光学系が前記光路から退避した状態で、前記撮像素子の光電変換出力に基づいて画像データを生成する画像生成手段とを有する撮像装置のコンピュータに、
前記分割光学系の前記光路からの退避によって生ずる光路長の変化に起因する焦点ずれをそれぞれ異なる方法で補正する複数の補正機能から、撮影に関連する条件に応じていずれかを選択する処理と、
前記選択された補正機能を用いて前記焦点ずれの補正を行う処理とを実行させるためのプログラム。
【発明の詳細な説明】
【技術分野】
【０００１】
本発明は、撮像素子の出力に基づいて焦点検出を行う撮像装置および撮像装置用プログラムに関する。
【背景技術】
【０００２】
画像データを得るための撮像用画素と、位相差方式の焦点検出を行うための焦点検出用画素とを併せ持った撮像素子が知られている（例えば、特許文献１参照）。この種の撮像素子をカメラに組み込めば、従来カメラに用いられていた専用の焦点検出ユニットは不要となる。
【先行技術文献】
【特許文献】
【０００３】
【特許文献１】特開２００７−２７９３１２号公報
【発明の概要】
【発明が解決しようとする課題】
【０００４】
特許文献１に記載の撮像素子を用い、かつ撮影光路中に挿脱可能な分割光学系を備えた撮像装置を考える。例としては、光学ファインダおよび分割光学系としてのミラーを備え、かつ撮像素子で焦点検出を行う一眼レフタイプのデジタルカメラが挙げられる。かかる撮像装置においては、分割光学系の光路挿入時に焦点検出および焦点調節を行った後、分割光学系を光路から離脱させて撮像を行うため、分割光学系の挿入時と離脱時の光路長差によってピントずれが発生するという問題がある。
【課題を解決するための手段】
【０００５】
本発明に係る撮像装置は、撮影光束を受光して光電変換する撮像素子と、撮像素子の入射光路中に挿脱され、挿入時に撮影光束の一部を撮像素子以外の方向に導く分割光学系と、分割光学系の光路への挿入時に、撮像素子の光電変換出力に基づいて撮影光学系の焦点調節を行う焦点調節手段と、焦点検出後、分割光学系が光路から退避した状態で、撮像素子の光電変換出力に基づいて画像データを生成する画像生成手段と、分割光学系の光路からの退避によって生ずる光路長の変化に起因する焦点ずれを、それぞれ異なる方法で補正する複数の補正手段と、撮影に関連する条件に応じて前記複数の補正手段からいずれかを選択する選択手段と、選択された補正手段を用いて焦点ずれの補正を行う制御手段とを具備することを特徴とする。
本発明に係るプログラムは、上記選択手段と制御手段の機能を撮像装置のコンピュータに実行させるものである。
【発明の効果】
【０００６】
本発明によれば、分割光学系の光路への挿入時と離脱時の光路長差に起因するピントずれを最適な方法で補正できる。
【図面の簡単な説明】
【０００７】
【図１】本発明の一実施形態における一眼レフデジタルカメラの概略構成を示す側面図。
【図２】デジタルカメラの制御系のブロック図。
【図３】調整用光学系の動作を説明するカメラの平面図。
【図４】各ピント補正処理の利点／欠点を説明する図。
【図５】優先順位Ａ〜Ｆに対応するピント補正処理を示す図。
【図６】ピント補正処理選択の手順を示すフローチャート。
【図７】図６に続くフローチャート。
【図８】図５と同様の図で、選択肢が異なる例を示す。
【発明を実施するための形態】
【０００８】
図１〜図７により本発明をデジタル一眼レフカメラに適用した場合の一実施形態を説明する。
図１において、撮影レンズ２０を透過した被写体光束は、カメラボディ１０内のミラー（ハーフミラー）１１で一部が反射され、ファインダ光学系を構成するペンタプリズム１２および接眼レンズ１３を介して接眼窓１４から観察される。
【０００９】
レリーズ操作がなされると、ミラー１１がアップして撮影光路から退避し、この状態でシャッタ１７が開放されると、撮影レンズ２０の透過光束はシャッタ１７を通過して撮像ユニット１８に導かれる。撮像ユニットは、撮像素子１８ａ（図２）とその前面に配置される光学フィルタなどから成り、光学フィルタを透過した光束が撮像素子１８ａに受光されて撮像（露光）が行われる。その後、ミラー１１はダウンして撮影光路中に挿入される。
【００１０】
図２は上記カメラの制御ブロック図である。撮像素子１８ａの光電変換出力である撮像信号は、画像処理部５１に入力される。画像処理部５１を構成する画像処理回路５１ａは、入力された撮像信号に種々の処理を施して画像データを生成する。生成された画像データは、コンピュータで扱うことが可能な画像ファイルとして、記録／再生回路５１ｃによりメモリカード等の記録媒体５２に記録される。
【００１１】
再生モードでは、記録媒体５２に記録された画像データを記録／再生回路５１ｃにて読み出し、画像処理回路５１ａおよび表示回路５１ｂによる処理を経て、カメラ背面などに設けられた液晶モニタ５３に表示することができる。
【００１２】
フォーカス駆動部５６は、ＣＰＵ５５からの指示に応じて撮影レンズ２０の合焦光学系を駆動し、焦点調節を行う。ミラー駆動部５７は、ＣＰＵ５５からの指示に応じてミラー１１のアップ／ダウンを行う。ＣＰＵ５５は、操作部５８からの入力に応答して各部を制御し、自動焦点調節（ＡＦ）、自動露出制御（ＡＥ）、ミラー駆動、撮像、画像再生などの種々の動作を行う。操作部５８は、電源ボタンやレリーズボタン、再生操作や情報入力等で用いる各種操作部材等を含む。
【００１３】
ここで、本実施形態のカメラは、専用の焦点検出素子は設けられておらず、撮像素子１８ａの出力を用いた位相差方式の焦点検出を行う。撮像素子１８ａは、通常の撮像用画素に加えて、撮影レンズの射出瞳上の対の領域を通過した光束を受光する複数の焦点検出用画素を有し、ＣＰＵ５５は、その焦点検出用画素の出力に基づいてデフォーカス量および方向を求め、それらに基づいて合焦光学系を駆動して焦点調節を行う。このように、焦点検出素子を撮像素子１８ａで兼用するすることで、焦点検出専用の素子およびその素子に光束を導くための部材（サブミラーやレンズ等）が不要となる。
【００１４】
しかしながら、焦点検出素子を撮像素子１８ａで兼用すると、ピントの精度に影響を与える。すなわち、一般にＡＦ制御は、撮影者が焦点調節状態をファインダにて確認できるように、ミラーダウン時に行われる。一方、画像を得るための撮像時はミラー１１はアップしている。ミラー１１のアップ／ダウン（撮影光路中の存否）によって撮影光路長が変化するため、ミラーダウン時にピントを合わせても、撮像時（ミラーアップ時）には上記光路長差の分だけピントがずれる。
【００１５】
この問題を解消するための方策として、次の（１）〜（３）が考えられる。
（１）ミラーアップ時の撮影光路長の調整
（２）ミラーアップ後の再ＡＦ
（３）画像処理によるピンぼけ補正
【００１６】
上記（１）については、２つの方法が考えられる。
（１−１）例えば図３に示すように、退避したミラー１１の代わりに透明の調整用光学系６１を撮影光路中に挿入し、ミラー挿入時と同等の光路長を確保する。これにより上記光路長差に起因するピントのずれを解消できる。ミラーダウン時には、光学系６１は撮影光路から退避される。調整用光学系６１としては、例えば透明のガラス板が用いられ、その挿脱は、ＣＰＵ５５からの指示に応じて図２の光学系駆動回路６２が行う。光学系駆動回路６２は、例えばモータ等の駆動源と、その駆動回路などから構成される。
【００１７】
（１−２）第２の方法として、ミラーアップ後に、上記光路長差に相当する分だけ撮像素子１８ａを光軸方向に位置調整し、ミラー挿入時と同等の光路長を確保する。これによっても光路長差に起因するピントずれを防止できる。ミラーダウン時には、撮像素子１８ａを元の位置に戻す。撮像素子１８ａの光軸方向の移動は、不図示の駆動機構によって行う。
【００１８】
ここで、上記（１−１）および（１−２）は、それら双方の機能をカメラに持たせる必要はない。いずれの機能を実現するにも新たな駆動機構が必要となるが、それらの配置位置は異なるため、カメラの仕様によっていずれか有利な方を選択すればよい。因みに図１〜図３は、（１−１）を採用したカメラの構成を示している。
【００１９】
（２）の再ＡＦは、ミラーアップ後に再度ＡＦを行うというもので、これによっても上記ピントずれを解消できる。
【００２０】
（３）の画像処理は、（１），（２）のような光学的な補正を行わずに撮像を行い、得られた画像データにアンシャープマスク等の画像処理を施し、ピンぼけを擬似的に補正するというものである。画像処理は、上記画像処理回路５１ａにてなされる。
【００２１】
図４の表は、上記（１）〜（３）のピント補正処理の利点／欠点を示している。
（１−１）の調整用光学系の挿入は、何も挿入しない場合と比べて撮影光量が若干減少し、特に低輝度撮影時に不利となる。また、光学系６１を撮影光路に挿入する時間だけレリーズタイムラグが長くなる。レリーズタイムラグとは、レリーズ操作から露光が行われるまでの遅れ時間であり、これが長くなるとシャッタチャンスを逃すおそれがある。
（１−２）の撮像素子１８ａの位置調整は、撮影光量の減少は全くない。撮像素子１８ａの移動の分だけ若干レリーズタイムラグが長くなるが、移動距離が短いため、（１ー１）と比べればタイムラグは短い。
【００２２】
（２）の再ＡＦは、撮影光量の減少は全くないが、再ＡＦに要する時間だけレリーズタイムラグが長くなる。特に被写体距離が短い場合は、合焦光学系を大きく繰出す必要があるため、被写体距離が長い場合と比べて再ＡＦに要する時間は長くなる。加えて、レンズの繰出量が大きくなると、再ＡＦによって像倍率が変化してしまうこともあり、特に至近端近傍でのピント合わせでは、レンズの繰り出し限界に達してピントずれを補正できないこともある。ただし、これらは被写体距離が長いときには問題とならない。特に無限遠近傍での撮影では、再ＡＦ時のレンズ駆動量はごく僅かであるため、レリーズタイムラグや倍率変化はさほど問題とならず、また問題なくピントずれを解消できる。
【００２３】
（３）の画像処理は、光量の減少は全くなく、またメカ的なピント補正動作が不要なため、レリーズタイムラグを最小限に短くできる。ただし、あくまでも擬似的なピント補正であるため、光学的なピント合わせと比べて効果は劣り、また全体的に画質を悪化させる。
【００２４】
以上のように、各ピント補正処理には一長一短があり、撮影者が何を優先するかで採択すべき処理は変わってくる。そこで本実施形態では、「撮影光量」、「レリーズタイムラグ」、「画質」の３項目について、撮影者が優先順位を指定できるようにし、その結果と他の条件を加味して、ＣＰＵ５５が最良のピント補正処理を選択する。これにより、撮影者にとって最良のピント補正処理が施される。
【００２５】
具体的には、例えば図５のような対応が考えられる。撮影者は、所定の優先度設定モードにおいて、自身が最優先する項目と２番目に優先する項目とに基づき、図のＡ〜Ｆの優先度パターンから何れかを選択する。なお、この例では、上記（１−２）は非対応のカメラを想定している。
【００２６】
＜撮影光量を最優先する場合＞
図５において、撮影者がパターンＡまたはＢを選択した場合、撮影光量の確保が最優先であるため、光量的に不利な（１−１）は除外される。よって（２）の再ＡＦと（３）の画像処理のいずれかとなるが、パターンＡでは優先度２がタイムラグであるため、ＣＰＵ５５は（３）の画像処理を選択する。
【００２７】
一方、撮影者がパターンＢを選択した場合は、優先度２が画質であるため、ＣＰＵ５５は（２）の再ＡＦを選択する。ただし、再ＡＦでは合焦不能となるおそれがあるとき（至近端近傍での撮影時）に限り、（３）の画像処理を選択する。
【００２８】
＜タイムラグを最優先する場合＞
撮影者がパターンＣまたはＤを選択した場合は、タイムラグが最優先であるため、（１−１）の光学系挿入は除外される。Ｃを選択した場合は、タイムラグのみを考慮すると（３）の画像処理となるが、優先度２の画質をも考慮すると、（２）の再ＡＦも考えられる。そこでＣＰＵ５５は、被写体距離が所定値以上であれば、再ＡＦを行ってもタイムラグがさほど長くならないため再ＡＦを選択し、被写体距離が所定値未満であれば、再ＡＦではタイムラグが長くなり、また最悪の場合はピント補正不能となるため、（３）の画像処理を選択する。
【００２９】
一方、撮影者がパターンＤを選択した場合は、画質はさほど問題とならないので、タイムラグのみを考慮して（３）の画像処理を選択する。
【００３０】
＜画質を最優先する場合＞
撮影者がパターンＥまたはＦを選択した場合は、画質が最優先であるため（３）の画像処理は除外される。パターンＥを選択した場合は、優先度２がタイムラグであるため、ＣＰＵ５５は状況に応じて（１−１）の光学系挿入と（２）の再ＡＦのいずれかを選択する。すなわち、被写体距離が所定値以上であれば、再ＡＦを行ってもタイムラグがさほど長くならないため再ＡＦを選択し、被写体距離が所定値未満であれば、再ＡＦでは光学系挿入よりもタイムラグが長くなるおそれがあり、また最悪の場合はピント補正不能となるため、（１−１）の光学系挿入を選択する。なお、再ＡＦに要する時間が、条件によらずに光学系挿入に要する時間を上回ることのない機種では、ピント補正不能となるおそれがあるときにのみ光学系挿入を選択し、それ以外の場合は再ＡＦを選択するようにしてもよい。
【００３１】
一方、撮影者がパターンＦを選択した場合は、優先度２が撮影光量であるため、ＣＰＵ５５は再ＡＦを選択する。ただし、再ＡＦでは合焦不能となるおそれがあるとき（至近端近傍での撮影時）に限り、光学系挿入を選択する。
【００３２】
図６および図７は、図５の選択制御を実現するためのＣＰＵ５５の処理手順を示している。
例えばレリーズボタンの半押し操作がなされるとＣＰＵ５５がこのプログラムを起動し、ステップＳ１でＡＦ処理を行う。ステップＳ２ではレリーズ操作の有無を判定し、否定されるとステップＳ３で半押し操作の解除の有無を判定する。半押し操作が継続していればステップＳ１に戻り、解除されると処理を終了する。
【００３３】
レリーズ操作がなされると、ステップＳ４でミラー１１をアップし、撮影光路から退避させる。これにより撮影光路長が変化する。ステップＳ５では、図５のパターンＡが選択されているか否かを判定し、肯定されるとステップＳ６で撮像を行い、画像データを得る。ステップＳ７では、得られた画像データに対して画像処理を施す。ここでの画像処理は、ピントを擬似的に補正するためのアンシャープマスク処理（ＵＳＭ）を含む。
【００３４】
ステップＳ８では、画像処理後の画像データに基づいて画像ファイルを生成し、その画像ファイルを記録媒体５２に記録する。ステップＳ９ではミラー１１をダウンする。その後、処理を終了させるが、上記調整用光学系６１が撮影光路中に挿入されている場合は、光路から退避させる（ステップＳ１０，Ｓ１１）。
【００３５】
ステップＳ５が否定された場合はステップＳ１２に進み、パターンＢが選択されているか否かを判定する。ステップＳ１２が肯定されるとステップＳ１３に進み、ピントずれ補正による合焦が可能か否かを判定する。ここで、ステップＳ１でのＡＦの結果、被写体距離が最短撮影距離に近い所定値ｄ１未満の場合、すなわち合焦レンズ位置が至近端近傍にある場合は、限界までレンズを繰り出してもピントずれを補正し切れないので、ステップＳ１３は否定され、そうでない場合は肯定される。最短撮影距離はレンズによって異なるため、レンズからの情報を参照して上記ステップＳ１３の判定を行う。
【００３６】
ステップＳ１３が否定された場合は上記ステップＳ６に進み、肯定された場合はステップＳ１４で再ＡＦ処理を行う。ステップＳ１５では撮像を行い、得られた画像データに対してステップＳ１６で画像処理を施す。ここでの画像処理は、アンシャープマスク処理は含まない。次いで、ステップＳ８に進む。
【００３７】
ステップＳ１２が否定された場合は、ステップＳ１７（図７）でパターンＣが選択されているか否かを判定する。ステップＳ１７が肯定されるとステップＳ１８に進み、合焦レンズ位置から得た被写体距離を判定する。被写体距離が所定値ｄ２（＞ｄ１）以上であれば、再ＡＦを行ってもタイムラグがさほど長くならないため、ステップＳ１４に進み、被写体距離が所定値Ｄ２未満であれば、再ＡＦではタイムラグが長くなり、また最悪の場合はピント補正不能となるため、ステップＳ６に進む。
【００３８】
ステップＳ１７が否定された場合はステップＳ１９に進み、パターンＤが選択されているか否かを判定する。ステップＳ１９が肯定されるとステップＳ６に進み、否定されるとステップＳ２０でパターンＥが選択されているか否かを判定する。ステップＳ２０が肯定されるとステップＳ２１に進み、被写体距離が所定値ｄ２（＞ｄ１）以上であれば、再ＡＦを行ってもタイムラグがさほど長くならないためステップＳ１４に進み、被写体距離が所定値未満であれば、再ＡＦでは光学系挿入よりもタイムラグが長くなるおそれがあり、また最悪の場合はピント補正不能となるため、ステップＳ２２において、光学系駆動回路６２を介して調整用光学系６１を撮影光路に挿入し、光路長差を解消する。その後、ステップＳ１５に進む。ステップＳ２０が否定された場合、すなわちパターンＦが選択されている場合は、ステップＳ１４に進む。
【００３９】
以上では、図４の（１−２）は非対応のカメラを示したが、（１−２）の処理が可能で（１−１）は非対応のカメラにも本発明を適用できる。この場合は、撮影光量の条件が全選択肢で同一となるので、撮影光量は処理の選択条件とはならず、タイムラグと画質のいずれを優先するか、および被写体距離に基づいて最適なピント補正処理が選択される。
【００４０】
また、ピント補正処理の選択肢は、少なくとも２つあればよい。一例として、（１−１）の光学系挿入と（２）の再ＡＦのみが選択可能なカメラでは、撮影光量とタイムラグのいずれを優先するかによって処理が分かれ、撮影光量を優先するならば再ＡＦ、タイムラグを優先するならば被写体距離に応じていずれかを選択（図５のパターンＥ選択時と同様）となる。また、（２）の再ＡＦと（３）の画像処理のみが選択可能なカメラでは、例えば図８のような対応となる。
【００４１】
ここで、図４にも記載したように、（３）の画像処理にてピント補正を行うと、撮影後の画像処理時間が長くなり、その分だけ次の撮影が許容されるまでの待ち時間が長くなる。これを嫌うユーザの存在を考慮し、（３）の画像処理をピント補正処理の選択肢として含ませるか否かを予めユーザが指定できるようにしてもよい。
【００４２】
次に、上記以外の撮影条件でピント処理を選択する例を幾つか説明する。
カメラには、シーンモードが選択可能な機種があり、例えば「ポートレートモード」，「スポーツモード」，「夜景モード」等の中から撮影者が何れかを選択すると、カメラがそのモードに適した露出値等を設定して撮影を行う。このシーンモードの設定状況をピント補正処理の選択に用いることが考えられる。例えばスポーツモードは、動きの激しい被写体を撮影するときに設定されるから、一瞬のシャッタチャンスを逃さないようにレリーズタイムラグを優先すべきである。そこでＣＰＵ５５は、スポーツモードが設定されていると判定した場合は、基本的に最もシャッタタイムラグの短い処理（例えば、（３）の画像処理）を選択する。また、夜景モードは夜間に設定されるから、撮影光量の確保が優先される。そこで、夜景モード選択時には、撮影光量の低減が余儀なくされる処理（例えば、（１−１）光学系挿入）は除外し、また夜景ではレリーズタイムラグはさほど問題とならず、加えて近接撮影はないと見てよいから、画質を優先して（２）の再ＡＦを選択する。ポートレートモードでは、画質を優先して（３）の画像処理は除外する。
なお、カメラ（ＣＰＵ）がシーンを自動認識するオートシーンモードにおいても、カメラが認識したシーンに応じて上述と同様の選択制御が行える。
【００４３】
シーンモード以外では、例えば次のような選択制御が考えられる。
・被写体輝度が所定値以下でフラッシュ禁止が選択されているときは、撮影光量を優先して（１−１）の光学系挿入は除外し、（２）の再ＡＦか（３）の画像処理を選択する。
・高画質モードが選択されているときは、画質を優先して（３）の画像処理は除外する。
・連写モードでは、動体撮影が多いので、タイムラグを優先して（３）の画像処理を選択し、１枚撮りモードでは、画質を優先して画像処理を除外する。
・ＡＦを用いた公知の動体判定を行い、被写体が動体と判定した場合は、タイムラグを優先して（３）の画像処理を選択し、動体でないと判定した場合は、画質を優先させて画像処理を除外する。
・画像データをＲＡＷデータで記録するモードが設定されている場合は、画質を優先して画像処理を除外する。
【００４４】
なお、上記ピント補正処理の選択肢に、「補正なし」（光路長差によるピントずれを敢えて補正しない）を加えてもよい。この場合、ピンぼけとなるケースが多くなるが、例えば風景写真などで広角レンズを用い、且つ絞り込んで撮影するような場合は、被写界深度が深いためピントずれはさほど問題とならない場合もある。特に被写体距離が長い場合は被写界深度がより深くなり、ピンぼけは実質的に認知されない。そこで、ＣＰＵ５５が撮影レンズの焦点距離、設定絞り値、被写体距離を認識し、それらに基づいてピントずれが問題となるケースか否かを判断し、問題とならない場合は、他の条件に拘わらずピント補正を行わないようにしてもよい。ピント補正を行わないことにより、ピント補正に起因する上記の問題（光量減少、タイムラグの増加、画質低下）は一切発生しない。
【００４５】
なお以上では、分割光学系であるミラー１１の反射光（分割光束）をファインダ光学系に導く例を示したが、分割光束を他の装置（例えば、測光センサ、電子ビューファインダ、画像認識用のサブイメージセンサ等）に導くものであってもよい。したがって、一眼レフタイプ以外のデジタルカメラにも本発明を適用できる。また、ミラーに代えてプリズムを用いたものでもよい。
【符号の説明】
【００４６】
１１  ミラー
１８  撮像ユニット
１８ａ  撮像素子
２０  撮影レンズ
５１  画像処理部
５５  ＣＰＵ
６１  調整用光学系
【図１】
2013171060.tif 000003
【図２】
2013171060.tif 000004
【図３】
2013171060.tif 000005
【図４】
2013171060.tif 000006
【図５】
2013171060.tif 000007
【図６】
2013171060.tif 000008
【図７】
2013171060.tif 000009
【図８】
2013171060.tif 000010